(57)【要約】【課題】  本発明は、包装容器を食器として使用し、かつ殻を包装容器に収容した状態で捨てることができる鶏卵の包装容器を提供することを目的とするものである。【解決手段】  本発明は、１個の鶏卵が収納される容器本体１と蓋部３とから構成される鶏卵の包装容器において、前記容器本体１内の底面に形成される鶏卵載置用窪み部５と前記蓋部３の内面に突設形成される鶏卵押さえ用膨出部７を備えた構成とすることで包装容器を食器として活用することができ、これにより食器が不要となり、使用した包装容器に鶏卵の殻を入れた状態で捨てることにより、手を汚さずに殻の処理をすることができる。【選択図】        図１
2005231699.tif 000002
【特許請求の範囲】
【請求項１】
１個の鶏卵が収納される容器本体と蓋部とから構成される鶏卵の包装容器において、
前記容器本体内の底面に形成される鶏卵載置用窪み部と、
前記蓋部の内面に突設形成される鶏卵押さえ用膨出部を備える
ことを特徴とする鶏卵の包装容器。
【請求項２】
前記鶏卵押さえ用膨出部が鶏卵高さに応じ、その有する弾性力により押し上げられる
ことを特徴とする請求項１記載の鶏卵の包装容器。
【請求項３】
前記容器本体および蓋体が熱可塑性の合成樹脂素材より形成される
ことを特徴とする請求項１または２記載の鶏卵の包装容器。
【発明の詳細な説明】
【技術分野】
【０００１】
本発明は、鶏卵の包装容器に関する。詳しくは単体の鶏卵を保持すると共に食器として活用することができる鶏卵の包装容器に係るものである。
【背景技術】
【０００２】
この種の鶏卵の包装容器として図６に示すような発明がある。この発明は、鶏卵を独立保持することのできる状態で相隣接して形成した鶏卵収容部１０１を有する容器本体１０２と、この容器本体１０２に形成されたフランジ部１０３に熱融着して内部をほぼ密封状態で保持することのできるシート状の蓋体１０４とで包装容器１０５を構成する。各鶏卵収容部１０１内に鶏卵Ｅを収容し、容器本体１０２の外周縁に設けたフランジ部１０３に蓋体１０４を当接させ、内部には炭酸ガスを充填して熱融着によって容器本体１０２をほぼ密封状態に閉鎖し、炭酸ガスによって鮮度を保持した鶏卵の包装体を得ることが、容器本体１０２の隣り合った４個の鶏卵収容部１０１で囲まれた部位に支持部１０６を設け、その高さを蓋体１０４を閉じ合わせたとき、その下面に頂面１０７が当接するか、接近する高さとしたので、蓋体１０４の撓みを防止し、包装容器の積み重ねができる構成とする（例えば、特許文献１参照。）。
【０００３】
また、図７に示すように、ゆでウズラ卵１０８を、それより少し大きいプラスチック容器１０９に入れて、ゆでウズラ卵１０８とプラスチック容器１０９との隙間に水または調味液１１０を充填し、プラスチック容器１０９の口をプラスチックフィルムの蓋１１１をシール１１２して密封する構成とする（例えば、特許文献２参照。）。
【０００４】
【特許文献１】実用新案登録第３０６５４５９号公報（要約書、第１図）
【０００５】
【特許文献２】実開平５−４８６９４号公報（要約書、第１図）
【発明の開示】
【発明が解決しようとする課題】
【０００６】
このように一般販売用としての複数個（４個から８個）の鶏卵を収納する包装容器にあっては、前記特許文献１に詳述するように鶏卵が立った状態で保持できるように下部周囲面を狭窄形状に形成されたもの、あるいは上、下部周囲面が狭窄形状に形成されたものが多く、これらの容器より取り出された鶏卵は食器内で溶かれて料理に使用され、殻はゴミとして捨てられる。
【０００７】
しかし１人暮らしの者にあっては、一度に複数個（４個から８個）の鶏卵を購入した場合には、全ての鶏卵を消費するまでに、数個の鶏卵が消費期限前、あるいは期限切れとなってしまうことが多く、消費期限前の鶏卵では鮮度が落ちる、または期限切れとなった鶏卵を生ゴミとして捨てているのが現状である。
【０００８】
そこで前記特許文献２で詳述するように、１個のゆでウズラ卵をプラスチック容器に収納し、調味液を充填したものがあるが、調理後のゆで卵であり、用途が限られており、１個の生タマゴを包装したものが無いのが現状である。
【０００９】
また、鶏卵を溶くのには食器が必要となり、使用後の食器には鶏卵特有のぬめりが付着することによって非常に洗い難い問題がある。更には食事の殆どを外食や弁当等で過している１人者等にあっては、鶏卵の殻の処理に困っているのが現状である。
【００１０】
更にはキャンプ場等での食事では、洗剤の使用が制限されていることが多く、そのために出来るだけ食器を使わず、生ゴミは持ち帰っているのが実情である。従って料理に鶏卵を使用する場合には、食器洗いや殻の処理が煩雑となる問題がある。
【００１１】
本発明は、以上の点に鑑みて創案されたものであって、包装容器を食器として使用し、かつ殻を包装容器に収容した状態で捨てることができる鶏卵の包装容器を提供することを目的とするものである。
【課題を解決するための手段】
【００１２】
上記の目的を達成するために、本発明に係る鶏卵の包装容器は、１個の鶏卵が収納される容器本体と蓋部とから構成される鶏卵の包装容器において、前記容器本体内の底面に形成される鶏卵載置用窪み部と、前記蓋部の内面に突設形成される鶏卵押さえ用膨出部を備える。
【００１３】
ここで、容器本体内の底部に鶏卵の外周曲面に応じた湾曲面状の鶏卵載置用窪み部が形成され、蓋部の内面に鶏卵押さえ用膨出部が突出形成される。そして容器本体内に鶏卵を包装する場合には、この鶏卵載置用窪み部に鶏卵を横置し、鶏卵押さえ用膨出部によって鶏卵を押さえながら蓋部によって閉じることで、鶏卵は鶏卵載置用窪み部および鶏卵押さえ用膨出部によって動くことなく保持することができる。
【００１４】
また、容器本体および蓋部をポリエチレンテレフタレート樹脂（ＰＥＴ）、塩化ビニル樹脂（ＰＶＧ）、ポリエチレン（ＰＥ）、ポリエチレン（ＰＳ）およびポリプロピレン（ＰＰ）などの熱可塑性合成樹脂素材より形成することにより、蓋部の鶏卵押さえ用膨出部が弾力性を有することになり、鶏卵の高さに応じて上方へ変形が可能となる。
【発明の効果】
【００１５】
以上の構成よりなる本発明では、１個の鶏卵を包装することにより、消費者は従来のように余分な数の鶏卵を購入することなく、必要な数の鶏卵の購入が可能となる。
また、包装容器を食器として活用することができ、これにより食器が不要となり、使用した包装容器に鶏卵の殻を入れた状態で捨てることにより、手を汚さずに殻の処理をすることができる。
【００１６】
更に、弾力性を有する蓋部の鶏卵押さえ用膨出部が鶏卵の高さに応じて上方へ変形することにより、個々に大きさが微妙に異なる鶏卵に順応して確実に保持することが可能となる。
【発明を実施するための最良の形態】
【００１７】
以下、本発明の実施の形態を図面を参酌しながら説明し、本発明の理解に供する。
図１は、本発明を適用した鶏卵の包装容器の一例を示す正面断面説明図、図２は、図１における容器本体の平面説明図、図３は、図１における蓋部の平面説明図を示す。
【００１８】
ここで示す鶏卵の包装容器は、ポリエチレンテレフタレート樹脂（ＰＥＴ）シートを加熱して金型プレス加工により成型するものであり、上端に開口部２が形成される容器本体１と、この容器本体１の開口部２を閉じるための蓋部３により構成される。
【００１９】
そこで容器本体１は、その開口部２の開口端４が外側へ折り曲げられ、その内部の底面に鶏卵が横に載置された状態で鶏卵の一部が係留できる曲面を有する鶏卵載置用窪み部５が形成されるものである。
【００２０】
また、蓋部３の外周縁には、容器本体１の開口端４に嵌合する鍔部６が形成され、更にその中央には下方に膨出状に突出形成される鶏卵押さえ用膨出部７が形成されるものである。
【００２１】
この鶏卵押さえ用膨出部７は、その基端周縁に沿って段差部８を設けた状態で凹状にプレス加工されることにより、段差部８がその周囲部分より薄厚となり、鶏卵押さえ用膨出部７が鶏卵により上方へ押し上げようとする力が働いたときに、この段差部８の変形により鶏卵押さえ用膨出部７が押し上げられることとなる。
【００２２】
更に、鶏卵押さえ用膨出部７の先端周縁には鶏卵の外周面を係留するための突条部９が形成されるものである。
なお、突条部９を設ける代わりに鶏卵押さえ用膨出部７先端を鶏卵の外周曲面に応じた曲面状に形成しても構わない。
【００２３】
なお、包装容器は必ずしもポリエチレンテレフタレート樹脂（ＰＥＴ）によって形成されるものでは無く、弾力性を有する熱可塑性の合成樹脂素材であれば、例えば塩化ビニル樹脂（ＰＶＧ）、ポリエチレン（ＰＥ）、ポリエチレン（ＰＳ）およびポリプロピレン（ＰＰ）又は発泡スチロールなど食品衛生上安全なものであればいかなるものであっても構わない。
【００２４】
また、包装容器は必ずしも金型プレス加工により成型される必要性は無く、加工性の優れたものであれば、例えば金型成型や射出成型などいかなる成型方法であっても構わない。
【００２５】
以上の構成よりなる本発明の鶏卵の包装容器では、図４に示すように、容器本体１内に
鶏卵Ａを横にして鶏卵載置用窪み部５上に載置する。そして容器本体１の開口部２を蓋部３によって閉める場合に、蓋部３の鶏卵押さえ用膨出部７が鶏卵Ａの上部外周面に当接した状態となる。
【００２６】
次に図５に示すように、容器本体１の開口端４と蓋部３の鍔部６が密接するように封印シール１０によってシールすることで鶏卵押さえ用膨出部７は段差部８の変形により、上方に押し上げられることとなるが、その反面元の状態に復帰しようとする弾性力によって鶏卵Ａが鶏卵押さえ用膨出部７により下方へ押し下げられることとなり、鶏卵Ａは鶏卵載置用窪み部５と鶏卵押さえ用膨出部７によって容器本体１内で保持されることとなる。
【００２７】
このようして包装容器内に保持された鶏卵Ａは、封印シール１０を取り外すことにより、鶏卵載置用窪み部５と鶏卵押さえ用膨出部７による保持から解除され、蓋部３を取り外して容器本体１内より取り出す。
【００２８】
そして鶏卵Ａが取り出された後の容器本体１を、鶏卵Ａを割って溶くための容器として活用する、あるいは納豆等を入れて食器として使用し、更に使用後の容器本体１内に殻を入れて捨てることにより食器を洗う手間が省け、かつ手を汚さずに殻の処理が可能となる。
【００２９】
なお、容器本体および蓋部は透明状とすることにより、購入者は鶏卵の大きさや種類等を見分けることができるものである。
【図面の簡単な説明】
【００３０】
【図１】本発明を適用した鶏卵の包装容器の一例を示す正面断面説明図である。
【図２】図１における容器本体の平面説明図である。
【図３】図１における蓋部の平面説明図である。
【図４】本発明を適用した鶏卵の包装容器内に鶏卵を収納した状態を示す説明図である。
【図５】図４における包装容器をシールした状態を示す説明図である。
【図６】従来の鶏卵の包装容器の一例を示す説明図である。
【図７】従来のゆでウズラ卵の１個包装品の一例を示す説明図である。
【符号の説明】
【００３１】
１      容器本体
２      開口部
３      蓋部
４      開口端
５      鶏卵載置用窪み部
６      鍔部
７      鶏卵押さえ用膨出部
８      段差部
９      突条部
１０    封印シール
【図１】
2005231699.tif 000003
【図２】
2005231699.tif 000004
【図３】
2005231699.tif 000005
【図４】
2005231699.tif 000006
【図５】
2005231699.tif 000007
【図６】
2005231699.tif 000008
【図７】
2005231699.tif 000009